(57)【要約】【課題】マルチアングル映像の再生を、ユーザが容易に実行できる記録再生装置を提供する。【解決手段】ＣＰＵ１０１は、記録媒体１０５に記録されている画像データを撮影した時間順に再生させる際、同一時刻に撮影された画像データが複数あった場合は、優先情報が付加されている画像データを優先的に再生させるよう制御する。また、ＣＰＵ１０１は、通信部１０８を介して接続されている他の記録再生装置が少なくとも一台あった場合は、接続されている全ての記録再生装置から受信した画像データに優先度を含む優先情報を付加して記録媒体１０５に記録する。そして、再生時には優先度の高い画像データから順に再生させるよう制御する。【選択図】図１
2009100019.tif 000002
【特許請求の範囲】
【請求項１】
撮像画像を画像データに変換する撮像部と、
前記撮像部より生成された画像データに優先的に再生を行わせるための優先情報を付加する優先情報付加部と、
有線または無線で他の記録再生装置と接続することが可能な通信部と、
前記撮像部で生成された画像データ及び前記通信部より受信された画像データを記録する記録媒体と、
前記記録媒体に記録された画像データを表示する表示部と、
前記記録媒体に記録されている画像データを撮影した時間順に再生させる際、同一時刻に撮影された画像データが複数あった場合は、優先情報が付加されている画像データを優先的に再生させるよう制御する制御部と、
を備えることを特徴とする記録再生装置。
【請求項２】
前記通信部を介して接続されている他の記録再生装置が少なくとも一台あった場合は、前記優先情報付加部は、予め決めておいた一台の記録再生装置で撮影された画像データに優先情報を付加することを特徴とする請求項１記載の記録再生装置。
【請求項３】
前記通信部を介して接続された他の記録再生装置をリモート操作することが可能なリモート操作部を備え、前記リモート操作部によってリモート操作の指示が行われた際、前記優先情報付加部は、リモート操作の指示を受けた他の記録再生装置で撮影していた画像データに優先情報を付加することを特徴とする請求項１記載の記録再生装置。
【請求項４】
前記撮像部で画像の撮影を開始させる撮影開始指示部と、前記撮像部で生成された画像データに優先情報を付加するよう指示する優先撮影指示部とを備え、前記優先撮影指示部を操作後に前記撮影開始指示部を操作して撮影された画像データに、前記優先情報付加部は優先情報を付加することを特徴とする請求項１記載の記録再生装置。
【請求項５】
前記表示部に優先情報が付加されている画像データを再生させている際、現在再生されている画像データと同時刻に撮影された優先情報が付加されていない別の画像データがある場合は、前記表示部の一部に、優先情報が付加されていない別の画像データを表示させることを特徴とする請求項１記載の記録再生装置。
【請求項６】
優先情報が付加されていない画像データを前記表示部の一部に表示させるかどうかを選択する操作部を備えることを特徴とする請求項１または５記載の記録再生装置。
【請求項７】
優先情報が付加されている画像データと優先情報が付加されていない画像データの前記表示部における表示位置を切り替える操作部を備えることを特徴とする請求項１または５記載の記録再生装置。
【請求項８】
前記表示部の一部に表示されている優先情報が付加されていない画像データの表示枠の大きさを切り替える操作部を備えることを特徴とする請求項１または５記載の記録再生装置。
【請求項９】
撮像画像を画像データに変換する撮像部と、
前記撮像部より生成された画像データに優先的に再生を行わせるための優先情報を付加する優先情報付加部と、
有線または無線で他の記録再生装置と接続することが可能な通信部と、
前記撮像部で生成された画像データ及び前記通信部より受信された画像データを記録する記録媒体と、
前記記録媒体に記録された画像データを表示する表示部と、
前記通信部を介して接続されている他の記録再生装置が少なくとも一台あった場合は、接続されている全ての記録再生装置から受信した画像データに優先度を含む優先情報を付加して前記記録媒体に記録し、再生時には優先度の高い画像データから順に再生させるよう制御する制御部と、
を備えることを特徴とする記録再生装置。
【発明の詳細な説明】
【技術分野】
【０００１】
本発明は、記録媒体に記録された画像データを複数同時に表示可能な記録再生装置に関するものである。
【背景技術】
【０００２】
近年、ＤＶＤやＨＤＤ等の記録媒体の容量増加に伴い、複数のアングルから撮影された映像をひとつの記録媒体に記録することが可能となり、ユーザがマルチアングル再生を楽しむことが可能となった。
【０００３】
しかしながら、従来の技術では、複数のアングルで撮影された映像の中からユーザが任意の映像を選択すると、次に別の映像をユーザが選択しない限り、一度選んだアングルの映像が再生され続けるという課題があった。
【０００４】
このため、表示エリアに複数のアングルの映像を同時表示し、ユーザによって選択された映像を再生する記録再生装置が提案されている（例えば、特許文献１参照）。この技術によれば、どのくらいマルチアングル映像があるかを知ることが容易になることと、ユーザが映像の切り替えを容易に行えるという効果があった。
【特許文献１】特開平１１−３４１４４３号公報
【発明の開示】
【発明が解決しようとする課題】
【０００５】
しかしながら、上記従来技術の記録再生装置では、ユーザによって選択された映像のみが再生されるため、どの映像がメインのカメラで撮影された映像であるのかが、ユーザが再生して確認するまで解らないという課題がある。
【０００６】
本発明の目的は、マルチアングル映像の再生をユーザが容易に実行することができる記録再生装置を提供することにある。
【課題を解決するための手段】
【０００７】
上記目的を達成するために、請求項１記載の記録再生装置は、撮像画像を画像データに変換する撮像部と、前記撮像部より生成された画像データに優先的に再生を行わせるための優先情報を付加する優先情報付加部と、有線または無線で他の記録再生装置と接続することが可能な通信部と、前記撮像部で生成された画像データ及び前記通信部より受信された画像データを記録する記録媒体と、前記記録媒体に記録された画像データを表示する表示部と、前記記録媒体に記録されている画像データを撮影した時間順に再生させる際、同一時刻に撮影された画像データが複数あった場合は、優先情報が付加されている画像データを優先的に再生させるよう制御する制御部とを備えることを特徴とする。
【０００８】
請求項９記載の記録再生装置は、撮像画像を画像データに変換する撮像部と、前記撮像部より生成された画像データに優先的に再生を行わせるための優先情報を付加する優先情報付加部と、有線または無線で他の記録再生装置と接続することが可能な通信部と、前記撮像部で生成された画像データ及び前記通信部より受信された画像データを記録する記録媒体と、前記記録媒体に記録された画像データを表示する表示部と、前記通信部を介して接続されている他の記録再生装置が少なくとも一台あった場合は、接続されている全ての記録再生装置から受信した画像データに優先度を含む優先情報を付加して前記記録媒体に記録し、再生時には優先度の高い画像データから順に再生させるよう制御する制御部とを備えることを特徴とする。
【発明の効果】
【０００９】
本発明の記録再生装置によれば、マルチアングル映像の再生をユーザが容易に実行することができる。即ち、複数ある画像データの内、どの画像データがメインの画像データであるかを検索して選択するユーザの手間を省くことができる。
【発明を実施するための最良の形態】
【００１０】
以下、本発明の実施の形態を図面を参照しながら詳細に説明する。
【００１１】
図１は、本発明の実施の形態に係る記録再生装置の概略構成を示すブロック図である。
【００１２】
図１に示す記録再生装置１００において、ＣＰＵ１０１は、各部の動作を制御する。また、後述する通信部１０８の制御、後述する記録媒体１０５への記録制御、後述する操作部１０７からの情報により後述する表示部１０６へ表示指示も行う。
【００１３】
また、ＣＰＵ１０１は、記録媒体１０５に記録されている画像データを撮影した時間順に再生させる際、同一時刻に撮影された画像データが複数あった場合は、優先情報が付加されている画像データを優先的に再生させる制御部として機能する。
【００１４】
また、ＣＰＵ１０１は、通信部１０８を介して接続されている他の記録再生装置が少なくとも一台あった場合は、接続されている全ての記録再生装置から受信した画像データに優先度を含む優先情報を付加して記録媒体１０５に記録する。そして、再生時には優先度の高い画像データから順に再生させるよう制御する。
【００１５】
ＲＡＭ１０２は、ＣＰＵ１０１や後述する表示部１０６がワーキングエリアとして使用する。撮像部１０３は、レンズ、ＣＣＤ等で構成され、撮像画像（撮影画像）を画像データに変換する（被写体を映像信号に変換する）ものであり、後述する優先情報付加部１０４へ画像データを送る。
【００１６】
優先情報付加部１０４は、ＣＰＵ１０１からの指示によって、撮像部１０３から入力した画像データに優先情報（優先的に再生を行わせるための情報）を付加する。また、優先情報付加部１０４は、後述する通信部１０８から受信した画像データへも優先情報を付加することが可能である。
【００１７】
記録媒体１０５は、優先情報付加部１０４から入力された画像データを記録する。この記録媒体１０５は、内蔵タイプでも装着可能なタイプでもよい。
【００１８】
表示部１０６は、液晶ディスプレイ等により構成され、ＣＰＵ１０１の指示により、撮像部１０３で撮像（撮影）されている映像の表示や、記録媒体１０５に記録されている画像データの再生表示を行う。また、表示部１０６は、さまざまなメニュー等の文字情報や、アイコン等を表示する。
【００１９】
操作部１０７は、表示部１０６上に表示されるメニューカーソル等の操作を行う。操作部１０７内には、カーソルを移動させる＋／−キーや、選択されたメニューの決定キー、後述する通信部１０８を介して接続された外部機器のリモート操作を行うリモート操作キーが含まれる。尚、操作をする手段は、スイッチ、タッチパネル等、特に指定はしない。
【００２０】
通信部１０８は外部機器と通信を行う。通信部１０８は、外部機器へのリモート操作指示や、外部機器で撮影した画像データを受信することが可能である。尚、通信方式は有線方式、無線方式等、特に指定しない。
【００２１】
撮影開始指示部１０９は撮影の開始を指示する。ＣＰＵ１０１は、撮影開始指示部１０９からの信号を受け取ると、撮像部１０３へ撮影の開始を指示し、生成された画像データを記録媒体１０５へ記録するよう指示する。尚、操作をする手段は、スイッチ、タッチパネル等、特に指定はしない。
【００２２】
優先撮影指示部１１０は、撮影開始指示部１０９の操作によって撮影された画像データへ優先情報を付加するよう指示する。ＣＰＵ１０１は、優先撮影指示部１１０からの信号を受け取ると、ＲＡＭ１０２に優先撮影指示部１１０が操作されたことを示す情報を記録する。尚、操作をする手段は、スイッチ、タッチパネル等、特に指定はしない。
【００２３】
上記記録再生装置１００による画像記録に際し、ユーザによって撮影開始指示部１０９が操作されたことを検知したＣＰＵ１０１が、撮像部１０３へ撮像（撮影）指示を出す。撮像部１０３で生成された画像データに優先情報付加部１０４で優先情報を付加し、記録媒体１０５へ出力させることによって画像記録が行われる。
【００２４】
図２は、図１の記録再生装置によって実行される時刻順再生処理の手順を示すフローチャートである。
【００２５】
本処理は、図１におけるＣＰＵ１０１の制御の下に実行される。
【００２６】
図２に基づいて、図１の記録再生装置１００で、記録媒体１０５内に記録されている複数の画像データを、撮影された時刻順に再生させる動作について説明する。
【００２７】
まず、ユーザによって記録媒体１０５内に記録された画像データの再生動作が実行される。再生動作は、操作部１０７を操作することで実行される。実行する方法は、ボタン、メニュー等、特に指定はしない（ステップＳ２０１）。
【００２８】
ＣＰＵ１０１は、記録媒体１０５内に記録されている画像データの撮影時刻、優先情報を解析する（ステップＳ２０２）。
【００２９】
ステップＳ２０２で画像データを解析した結果、再生指示された画像データと同時刻に撮影された別の画像データが無い場合はステップＳ２０４へ、同時刻に撮影された別の画像データが有る場合はステップＳ２０５へ遷移する（ステップＳ２０３）。
【００３０】
ＣＰＵ１０１は、ステップＳ２０３で再生指示された画像データを表示部１０６へ再生させる （ステップＳ２０４）。
【００３１】
ＣＰＵ１０１は、同時刻に撮影された画像データ群の中から、優先情報が付加されている画像データを表示部１０６へ再生させる（ステップＳ２０５）。
【００３２】
続けて、再生する画像データが有る場合はステップＳ２０２へ、再生する画像データが無い場合はステップＳ２０７へ遷移する（ステップＳ２０６）。そして、再生動作を終了させて（ステップＳ２０７）、本フローを抜ける。
【００３３】
図３は、図１の記録再生装置によって実行される撮影処理の手順を示すフローチャートである。
【００３４】
本処理は、図１におけるＣＰＵ１０１の制御の下に実行される。
【００３５】
まず、ユーザによって撮影開始指示部１０９が操作されると、ＣＰＵ１０１は、撮像部１０３に画像データの生成を開始するように指示を出す（ステップＳ３０１）。
【００３６】
ＣＰＵ１０１は、予め優先情報を付加する権利が与えられているかどうかの情報をＲＡＭ１０２から読み出す。優先情報を付加する権利が有る場合はステップＳ３０３へ、優先情報を付加する権利が無い場合はステップＳ３０４へ遷移する（ステップＳ３０２）。
【００３７】
ＣＰＵ１０１は、撮像部１０３から入力された画像データに優先情報を付加するように、優先情報付加部１０４へ指示を出す（ステップＳ３０３）。そして、記録媒体１０５へ画像データを記録して（ステップＳ３０４）、本フローを抜ける。
【００３８】
図４は、図１の記録再生装置によるリモート操作の概要を示す図である。
【００３９】
図４に基づいて、図１の記録再生装置（撮像装置）で、別の撮像装置をリモート操作した際の記録動作の概要を説明する。
【００４０】
図１の記録再生装置１０１を符号４０１で示す。記録再生装置４０１は、後述する撮像装置４０２へ、リモート操作部として機能する操作部１０７からリモート指示を出す。
【００４１】
撮像装置４０２は、通信部１０８を介して記録再生装置４０１と接続されており、記録再生装置４０１からリモート指示を受ける。
【００４２】
記録再生装置４０１の表示部１０６のリモート操作指示時の表示画面（撮影画面）４０３には、記録再生装置４０１で撮影している映像の表示画面４０４と、撮像装置４０２で撮影している映像の表示画面４０５が示される（表示される）。
【００４３】
上記記録再生装置４０１からのリモート撮影は、ユーザが表示部１０６上に表された撮像装置４０２の表示画面４０５を確認しながら、操作部１０７内にある操作スイッチを使用して行われる。
【００４４】
リモート撮影が実行されると、記録再生装置４０１は、リモート指示を受けた撮像装置４０２から通信部１０８を介して現在撮影している画像データを受信し、この画像データに優先情報付加部１０４で優先情報を付加した後、記録媒体１０５へ記録する。
【００４５】
図５は、図１の記録再生装置によって実行される優先撮影処理の手順を示すフローチャートである。
【００４６】
本処理は、図１におけるＣＰＵ１０１の制御の下に実行される。
【００４７】
まず、ユーザによって撮影開始指示部１０９が操作される（ステップＳ５０１）。撮影開始指示部１０９が操作されたことを検知したＣＰＵ１０１は、撮像部１０３に画像データの生成を開始するように指示を出す（ステップＳ５０２）。
【００４８】
ＣＰＵ１０１は、撮影開始前に優先撮影指示部１１０が操作されていたかどうかの情報をＲＡＭ１０２から読み出す。操作されていた場合はステップＳ５０４へ、操作されていない場合はステップＳ５０５へ遷移する（ステップＳ５０３）。
【００４９】
ＣＰＵ１０１は、撮像部１０３から入力された画像データに優先情報を付加するように、優先情報付加部１０４へ指示を出す（ステップＳ５０４）。そして、記録媒体１０５へ画像データを記録して（ステップＳ５０５）、本フローを抜ける。
【００５０】
図６は、図１における表示部に表示される同時再生機能選択画面を示す図である。
【００５１】
図６に基づいて、優先情報が付加された画像データと、付加されていない画像データの同時再生機能をＯＮ／ＯＦＦ選択させる画面について説明する。
【００５２】
図１の記録再生装置１０１を符号６０１で示す。記録再生装置６０１の表示部１０６には、同時再生機能選択画面６０２が示される。同時再生機能選択画面６０２には、同時再生機能ＯＮ選択ボタン６０３と、同時再生機能ＯＦＦ選択ボタン６０４が示される。
【００５３】
ユーザは、優先情報が付加された画像データと、付加されていない画像データを同時再生させる場合、させない場合のいずれの場合も、操作部１０７内の後述する決定キー６０５を押下する。
【００５４】
ユーザは、同時再生機能ＯＮ選択ボタン６０３を選択する場合は、操作部１０７内の後述するメニュー−キー６０６で表示部１０６上のカーソルを移動させる。また、ユーザは、同時再生機能ＯＦＦ選択ボタン６０４を選択する場合は、操作部１０７内の後述するメニュー＋キー６０７で表示部１０６上のカーソルを移動させる。
【００５５】
決定キー６０５は、表示部１０６上で選択されているボタンを決定させる。メニュー−キー６０６は、表示部１０６上に表示されているカーソルを左側へ移動させる。メニュー＋キー６０７は、表示部１０６上に表示されているカーソルを右側へ移動させる。
【００５６】
図７は、図６における同時再生機能ＯＮ選択ボタンが選択（押下）された場合の表示部上の画面を示す図である。
【００５７】
再生画面７０１には、優先情報が付加されている画像データの再生映像７０２と、優先情報が付加されていない画像データの再生映像７０３が示される。
【００５８】
ユーザによって同時再生機能ＯＮ選択ボタン６０３が選択されると、ＣＰＵ１０１は優先情報が付加されている再生映像７０２と、優先情報が付加されていない再生映像７０３を、表示部１０６上に重ねて表示させる。
【００５９】
また、再生映像は、重ねて表示させるのでは無く、それぞれ別枠で表示させてもよいし、更に大きさを均等にして表示させてもよい。
【００６０】
図８は、図１における表示部に表示される表示位置切替画面とその表示例を示す図である。
【００６１】
図８に基づいて、優先情報が付加された画像データと、付加されていない画像データの表示位置を切り替える画面について説明する。
【００６２】
表示部１０６には表示位置切替画面８０１が表示される。表示位置切替画面８０１には、表示位置切替実行ボタン８０２と、表示位置切替キャンセルボタン８０３が示される。
【００６３】
ユーザは、優先情報が付加された画像データと、付加されていない画像データの表示位置の切り替えを実行する場合、キャンセルする場合のいずれの場合も、操作部１０７内の決定キー６０５を押下する。
【００６４】
ユーザは、表示位置切替実行ボタン８０２を選択する場合は、操作部１０７内のメニュー−キー６０６で表示部１０６上のカーソルを移動させる。ユーザは、表示位置切替キャンセルボタン８０３を選択する場合は、操作部１０７内のメニュー＋キー６０７で表示部１０６上のカーソルを移動させる。
【００６５】
表示位置切替実行ボタン８０２が実行された場合の表示位置切り替え後の表示画面８０４には、優先情報が付加されていない画像データの再生映像８０５と、優先情報が付加されている画像データの再生映像８０６が示される。
【００６６】
図９は、図１における表示部に表示される表示枠切替画面を示す図である。
【００６７】
図９に基づいて、優先情報が付加されていない画像データの表示枠の大きさを切り替える操作について説明する。
【００６８】
表示枠切替画面９０１には、優先情報が付加されている画像データの再生映像９０２と、優先情報が付加されていない画像データの再生映像９０３が示される。
【００６９】
再生映像９０３の表示枠の大きさの切り替えは、ユーザが表示部１０６上に表示された再生画像を確認しながら、操作部１０７内にある操作スイッチを使用して行われる。
【００７０】
メニュー＋キー６０７が操作されると、ＣＰＵ１０１は、表示枠を大きくするように表示部１０６に指示し、メニュー−キー６０６が操作されると、表示枠を小さくするように指示する。
【００７１】
図１０は、図１の記録再生装置によって実行される記録処理の手順を示すフローチャートである。
【００７２】
本処理は、図１におけるＣＰＵ１０１の制御の下に実行される。
【００７３】
図１０に基づいて、図１の記録再生装置１００で、他の撮像装置から受信した画像データに優先度を含む優先情報を付加させる動作について説明する。
【００７４】
まず、ユーザによって記録動作が実行される。記録動作は、撮影開始指示部１０９で実行される（ステップＳ１００１）。
【００７５】
通信部１０８を介して接続されている他の撮像装置から、画像データが受信されたならステップＳ１００３へ、されない場合はステップＳ１００５へ遷移する（ステップＳ１００２）。
【００７６】
ＣＰＵ１０１は、優先情報付加部１０４へ指示を出し、ステップＳ１００２で受信した画像データに優先情報を付加させる（ステップＳ１００３）。
【００７７】
ＣＰＵ１０１は、ステップＳ１００３で優先情報を付加させた画像データを記録媒体１０５へ記録させる（ステップＳ１００４）。
【００７８】
ユーザによって記録動作が終了された場合はステップＳ１００６へ、終了されていない場合はステップＳ１００２へ遷移する（ステップＳ１００５）。そして記録動作を終了させて（ステップＳ１００６）、本フローを抜ける。
【００７９】
図１１は、図１の記録再生装置によって実行される優先度順再生処理の手順を示すフローチャートである。
【００８０】
本処理は、図１におけるＣＰＵ１０１の制御の下に実行される。
【００８１】
図１１に基づいて、図１の記録再生装置１００で、記録媒体１０５に記録されている画像データを、優先度順に再生させる動作について説明する。
【００８２】
まず、ユーザによって記録媒体１０５内に記録された画像データの再生動作が実行される。再生動作は、操作部１０７を操作することで実行され、実行する方法は、ボタン、メニュー等特に指定はしない（ステップＳ１１０１）。
【００８３】
ＣＰＵ１０１は、記録媒体１０５内に記録されている画像データの優先度を解析し、優先度の高い順に再生リストを作成し、ＲＡＭ１０２に一時記憶させる（ステップＳ１１０２）。
【００８４】
ＣＰＵ１０１は、ステップＳ１１０２で作成した再生リストに基づき、画像データを表示部１０６へ再生（表示）させる（ステップＳ１１０３）。
【００８５】
続けて再生する画像データが有る場合はステップＳ１１０３へ、画像データが無い場合はステップＳ１１０５へ遷移する（ステップＳ１１０４）。そして、再生動作を終了させ（ステップＳ１１０５）、本フローを抜ける。
【００８６】
本実施の形態によれば、記録媒体１０５に記録されている画像データを撮影した時間順に再生させる際、同一時刻に撮影された画像データが複数あった場合は、優先情報が付加されている画像データを優先的に再生させる。
【００８７】
このことによって、複数ある画像データの内、どの画像データがメインの画像データかを検索して選択するユーザの手間を省くことが可能となる。また、特殊な編集装置や編集アプリを使用すること無く、本装置のみでユーザが簡単に家庭でマルチアングル映像を楽しむことが可能となる。
【００８８】
更に、通信部１０８を介して接続されている他の撮像装置（記録再生装置）が少なくとも一台あった場合は、予め決めておいた一台の撮像装置で撮影された画像データに優先情報を付加する。
【００８９】
このことによって、毎回ユーザがどの画像データに優先情報を付加させるかを操作する手間を省くことが可能となる。
【００９０】
更に、リモート操作部によってリモート操作指示が行われた際、リモート操作指示を受けた他の撮像装置で撮影していた画像データに優先情報を付加する。
【００９１】
このことによって、同じ撮像装置で撮影された画像データに毎回優先情報が付加されることが無くなる。また、複数の撮像装置の中から最も良いアングルで撮影可能な撮像装置の画像データに優先情報を付加することが可能となる。その結果、再生時に被写体が大きく写っていなかったり、何かの影に隠れてしまっていたというような不具合を回避することができる。
【００９２】
更に、優先撮影指示部１１０を操作後に、撮影開始指示部１０９を操作して撮影された画像データに優先情報を付加する。
【００９３】
このことによって、ユーザによる優先情報の付加操作を容易にすると共に、重要なシーンだと思った瞬間に自由に優先情報を付加することが可能となる。
【００９４】
更に、表示部１０６に優先情報が付加されている画像データを再生させている際、現在再生されている画像データと同時刻に撮影された、優先情報が付加されていない別の画像データがある場合は、以下のようにする。即ち、表示部１０６の一部に優先情報が付加されていない別の画像データを同時再生させる。
【００９５】
このことによって、複数のアングルで撮影された映像のマルチアングル再生や、同一時刻に別々の個所を撮影した映像の同時再生を、ユーザが複雑な操作をしなくても簡単に行うことが可能となる。
【００９６】
更に、優先情報が付加されていない画像データを、優先情報が付加されている画像データを再生させている表示部１０６上に同時再生させるかどうかを、ユーザに選択させる。
【００９７】
このことによって、複数のアングルで撮影された映像のマルチアングル再生と、ひとつのアングルのシングル再生の両方をユーザが簡単に行うことが可能となる。
【００９８】
更に、優先情報が付加されている画像データと優先情報が付加されていない画像データの表示位置や、優先情報が付加されていない画像データの表示枠の大きさを、ユーザが切替えるようにする。
【００９９】
このことによって、優先情報が付加されている／付加されていないに係わらず、全ての画像データを同条件で表示して観ることが可能となる。
【０１００】
更に、接続されている全ての撮像装置から受信した画像データに優先度を含む優先情報を付加して記録媒体１０５に記録し、再生時には優先度の高い画像データから順に再生させる。
【０１０１】
このことによって、ユーザは優先度の高い画像から順に漏れなく全ての画像を観ることが可能となる。
【図面の簡単な説明】
【０１０２】
【図１】本発明の実施の形態に係る記録再生装置の概略構成を示すブロック図である。
【図２】図１の記録再生装置によって実行される時刻順再生処理の手順を示すフローチャートである。
【図３】図１の記録再生装置によって実行される撮影処理の手順を示すフローチャートである。
【図４】図１の記録再生装置によるリモート操作の概要を示す図である。
【図５】図１の記録再生装置によって実行される優先撮影処理の手順を示すフローチャートである。
【図６】図１における表示部に表示される同時再生機能選択画面を示す図である。
【図７】図６における同時再生機能ＯＮ選択ボタンが選択（押下）された場合の表示部上の画面を示す図である。
【図８】図１における表示部に表示される表示位置切替画面とその表示例を示す図である。
【図９】図１における表示部に表示される表示枠切替画面を示す図である。
【図１０】図１の記録再生装置によって実行される記録処理の手順を示すフローチャートである。
【図１１】図１の記録再生装置によって実行される優先度順再生処理の手順を示すフローチャートである。
【符号の説明】
【０１０３】
１０１  ＣＰＵ
１０２  ＲＡＭ
１０３  撮像部
１０４  優先情報付加部
１０５  記録媒体
１０６  表示部
１０７  操作部
１０８  通信部
１０９  撮影開始指示部
１１０  優先撮影指示部
【図１】
2009100019.tif 000003
【図２】
2009100019.tif 000004
【図３】
2009100019.tif 000005
【図４】
2009100019.tif 000006
【図５】
2009100019.tif 000007
【図６】
2009100019.tif 000008
【図７】
2009100019.tif 000009
【図８】
2009100019.tif 000010
【図９】
2009100019.tif 000011
【図１０】
2009100019.tif 000012
【図１１】
2009100019.tif 000013